(57)【特許請求の範囲】
【請求項１】
商品収納庫が形成される前面扉および断熱内扉付きの断熱筐体になるキャビネットの底部側に機械室を画成し、該機械室内に商品保冷用の冷凍機のコンデンシングユニットを搭載装備した自動販売機であり、前記冷凍機のコンデンシングユニットが空冷式の凝縮器，送風ファン，圧縮機を前後の順に並べて配置した組立体からなり、機械室内を風道として冷却空気をコンデンシングユニットに送風するようにしたものにおいて、
前記機械室の前面を閉塞した上で、その後面にはコンデンシングユニットの後部に向けて開口する冷却空気の排気口、および該排気口の左右両側に振り分けて開口する冷却空気の取入口を設けるとともに、機械室内には前記の各空気取入口からコンデンシングユニットの側方を迂回してコンデンシングユニット前面に通じる吸込導風路を画成したことを特徴とする自動販売機。
【請求項２】
請求項１記載の自動販売機において、機械室の背面に開口した冷却空気の排気口に連ねてキャビネットの背面に上方に延在する導風ダクトを設け、該導風ダクトを通じてコンデンシングユニットを通過した冷却空気を排出するようにしたことを特徴とする自動販売機。
【請求項３】
請求項１記載の自動販売機において、機械室の背面に開口した冷却空気の取入口に連ねてキャビネットの背面に上方に延在する導風ダクトを設け、該導風ダクトを通じて外気を取り込むようにしたことを特徴とする自動販売機。
【請求項４】
請求項２，３のいずれかに記載の自動販売機において、導風ダクト内の導風路形状に、コンデンシングユニットの発生騒音を減衰させる消音機能をもたせたことを特徴とする自動販売機。
【請求項５】
請求項１ないし４のいずれかに記載の自動販売機において、機械室内の導風路，ないし導風ダクト内の導風路に沿って壁面に吸音材を敷設したことを特徴とする自動販売機。
【請求項６】
請求項１記載の自動販売機において、内箱と外箱の間にプラスチックフォームなどの断熱材を挟んだサンドイッチ構造の断熱筐体としてなる商品収納庫に対し、その背面の外箱壁面と断熱材との間に隙間を形成してその上端を開放した空気通路を形成し、該空気通路を導風ダクトとして機械室の背面に開口した冷却空気の取入口，排気口のいずれかに連通させたことを特徴とする自動販売機。
【請求項７】
請求項１記載の自動販売機において、キャビネットの背面に熱交換器として機能する放熱用導風ダクトを敷設するとともに、該放熱用導風ダクトの入口，出口をそれぞれ機械室の後面に開口した冷却空気の排気口，取入口に接続し、該放熱用導風ダクトを経由して機械室内に画成した導風路との間に閉ループの循環通風路を形成したことを特徴とする自動販売機。
【請求項８】
請求項１ないし７のいずれかに記載の自動販売機において、機械室の前面が、商品収納庫の前面に配備して機械室の前面まで下方に延在する断熱内扉で閉塞されていることを特徴とする自動販売機。
【発明の詳細な説明】
【０００１】
【発明の属する技術分野】
本発明は、商品収納庫が前面扉付きの断熱筐体になるキャビネットの底部側に機械室を画成し、該機械室内に商品を保冷する冷凍機のコンデンシングユニットを装備して缶，瓶，ペットボトル商品などをコールド商品として販売する自動販売機、詳しくはそのキャビネットの構造に関する。
【０００２】
【従来の技術】
まず、頭記した自動販売機の従来における一般的な構造を図７，図８に示す。各図において、１は自動販売機のキャビネット、１ａは断熱筐体で構成した商品収納庫、１ｂはその下方に画成した機械室１ｂ、２は前面外扉、２ａは商品取出口、３は断熱内扉、４はキャビネット１の商品収納庫１ａに収設した商品収納ラック（サーペンタイン式商品収納ラック）、５は商品収納ラック４から搬出した商品を商品取出口２ａに導く商品搬出シュータ、６は商品収納庫１ａの庫内底部に設置した冷却ユニット（冷凍機のエバポレータと庫内ファンとの組立体）であり、前記機械室１ｂには冷凍機のコンデンシングユニット７を据付け、仕切壁１ｃの左側に画成した小室には電源ユニットなどを収設している。なお、前記の商品収納庫１ａの断熱筐体は、薄鋼板製になる内箱と外箱との間に、例えば発泡性樹脂を発泡成形した断熱材を充填した構成になる。
【０００３】
かかる自動販売機の商品販売動作は周知の通りであり、商品８は商品収納ラック４の各コラムに収納され、冷却ユニット６で冷却した冷気を庫内に循環送風して商品８を販売適温に保冷している。そして商品販売時には、販売指令に基づくベンド機構４ａの動作で商品収納ラック４から払出した商品８が商品搬出シュータ５を経て商品取出口２ａに送出される。
【０００４】
一方、前記した冷凍機のコンデンシングユニット７は、圧縮機７ａ，空冷式の凝縮器７ｂ，送風ファン７ｃを図示のように前後に並べて配置した組立体からなり、冷凍機の運転時には前面外扉２の下部に丸穴ないしスリット状穴を左右に並べて開口した外気取入口２ｂを通じて機外前方より取り入れた冷却空気（外気）を図示矢印のように機械室１ｂの室内に送風して凝縮器７ｂ，圧縮機７ａを冷却し、その排気を機械室１ｂの背面に開口した排気口１ｂ-1を通じて排出するようにしている。
【０００５】
ところで、前記した従来構成では、冷凍機のコンデンシングユニット７に対する冷却性能，および騒音の漏洩面で次記のような問題点がある。すなわち、前面外扉２は自動販売機の化粧板の役目も果たすことから、扉の前面下部に開口する外気取入口２ｂは、その穴径，スリット幅を小さくしてできるだけ目立たないように配慮している。このために、機械室に冷却空気を取り込む際に外気取入口２ｂに生じる圧力損失が増して冷却空気の送風量が低下する。
【０００６】
また、コンデンシングユニット７に通じる機械室１ｂの前面を開放し、かつ前面外扉２には外気取入口２ｂが開口している構成では、冷凍機の運転に伴って圧縮機７ａ，送風ファン７ｃに発生する振動音，風切り音などが騒音となって機械室１ｂの前面，外気取入口２ｂを通じて外方に漏洩し、このために自動販売機の前方に伝播する騒音レベルが高くなる。これに対して、昨今では自動販売機をオフイスビルなどの建屋内にに据付ける場合も多いことから、自動販売機から周囲に伝播する騒音が一定レベル以下となるような静粛性が求められている。
【０００７】
そこで、自動販売機の騒音レベルを低める対策として、従来より圧縮機，ファン自身の防振性を高めるほか、コンデンシングユニット７を装備した自動販売機のキャビネット１についても、次のような騒音低減対策が提案されている。
すなわち、本発明と同一出願人より先に提案した特開平８−３１５２３６号には、機械室１ｂの前面を塞いでコンデンシングユニットの発生騒音が自動販売機の前方に漏出するのを抑制するようにした上で、機械室の背面側に外気取入口，排気口を左右に振り分けて開口し、機械室内にはコンデンシングユニットを経由して外気取入口と排気口の間にＵ字形の導風路を形成したもの、さらには前記の外気取入口，排気口に連ねてキャビネットの背面に導風ダクトを敷設し、該導風ダクトを通じてキャビネットの上方側から冷却空気の取入れたり，排気を行うようにした構成が開示されている。
【０００８】
【発明が解決しようとする課題】
ところで、自動販売機の騒音測定，冷凍機コンデンシングユニットに対する冷却空気の冷却性能について、発明者等が行ったテストから、前記提案のように機械室の背面側に冷却空気の取入口と排気口を左と右に分けて開口し、このレイアウトに合わせて機械室内に吸込み，吐出しの導風路をＵ字状に画成した構成では、十分な騒音低減効果が発揮できないことが判明した。
【０００９】
すなわち、前記したＵ字状の導風路では、冷却空気が送風ファン回転面に対し偏流してその左右領域に圧力差が生じ、これが原因でファンの送風量にも偏流が生じて凝縮器の冷却性能が低下するほか、ファンの風切り音も増大するようになる。このために、騒音の低減効果が十分に発揮できないといった問題が残る。
本発明は上記の点に鑑みなされたものであり、その目的は自動販売機に搭載した冷凍機のコンデンシングユニットに対する冷却空気の導風路を改良して騒音の低減効果の向上化を図った自動販売機を提供することにある。
【００１０】
【課題を解決するための手段】
上記目的を達成するために、本発明によれば、商品収納庫が形成される前面扉付きの断熱筐体になるキャビネットの底部側に機械室を画成し、該機械室内に商品を保冷する冷凍機のコンデンシングユニットを搭載装備した自動販売機であり、その冷凍機のコンデンシングユニットが空冷式の凝縮器，送風ファン，圧縮機を前後の順に並べて配置した組立体からなり、かつ機械室を風道として冷却空気をコンデンシングユニットに送風するようにしたものにおいて、
前記機械室の前面を閉塞した上で、その後面にはコンデンシングユニットの後部に向けて開口する冷却空気の排気口，および該排気口の左右両側に振り分けて開口する冷却空気の取入口を設けるとともに、機械室内には前記の各空気取入口からコンデンシングユニットの側方を迂回してコンデンシングユニット前面に通じる吸込導風路を画成する（請求項１）。
【００１１】
上記の構成によれば、機械室の前面を閉塞してコンデンシングユニットに発生した騒音が自動販売機の前方に漏洩するの防ぐようにしたことに加えて、機械室の背面側で左右二箇所に分けて開口した外気取入口を通じて吸い込んだ冷却空気は、コンデンシングユニットの左右側方を迂回した後に室内の前部で合流してコンデンシングユニットに向けて導風される。これにより、送風ファンの回転面に対する冷却空気流の偏流，圧力差も殆どなくなって、コンデンシングユニットを効果的に風冷することができるとともに、ファンの風切り音も低下して騒音の発生レベルも低減する。
【００１２】
また、本発明によれば、前記の冷却空気導風路を基本構成として、次記のような態様で構成することができる。
(1) 機械室の背面に開口した冷却空気の排気口に連ねてキャビネットの背面に上方に延在する導風ダクトを設ける（請求項２）。
この構成により、コンデンシングユニットを通過して高温化した排気は、導風ダクトを経て外気取入口から十分に離れたキャビネットの後部上方側に排出するので、高温の排気空気が再び外気取入口に吸い込まれるのことがない。また、導風ダクトの中を伝播して外方に漏出する騒音をダクトの距離分で効果的に減衰させることができる。
【００１３】
(2) 機械室の背面に開口した冷却空気の取入口に連ねてキャビネットの背面に上方に延在する導風ダクトを設け、該導風ダクトを通じて冷却空気を排気口から十分に離れたキャビネットの上方側から取り込むようにする（請求項３）。
これにより、前項(1) の構成と同様に高温の排気が再び外気取入口に吸い込まれるのを防止するとともに、導風ダクトによる距離の減衰効果で漏洩する騒音のレベルを低減できる。また、自動販売機を屋外に設置する場合に、気温の高い夏期には地表近くの空気温度が高温に熱せられることがあるが、地表から２ｍ程度の高さではそれほどの温度上昇はない。したがって、コンデンシングユニットの冷却空気として外気を導風ダクトを通じて自動販売機の上方から取り込むことで高い冷却効果が発揮できる。
【００１４】
(3) 前項(1) ，(2) の構成において、導風ダクト内の導風路を蛇行させたり、あるいは自動車のマフラーのように導風路に沿って断面を拡大，縮小させるなどしてコンデンシングユニットの発生騒音を減衰させる消音機能をもたせ、導風ダクトによる騒音減衰効果をさらに高めるようにする（請求項４）。
(4) 機械室内の導風路，ないし導風ダクト内の導風路に沿って壁面に吸音材を敷設し、外方に漏洩する騒音レベルをより効果的に低減させるようにする（請求項５）。
【００１５】
(5) 内箱と外箱の間にプラスチックフォームなどの断熱材を挟んだサンドイッチ構造の断熱筐体としてなる商品収納庫に対し、その背面の外箱壁面と断熱材との間に隙間を形成してその上端を開放した空気通路を形成し、該空気通路を導風ダクトとして機械室の背面に開口した冷却空気の取入口，排気口のいずれかに連通させる（請求項６）。
【００１６】
この構成によれば、断熱筐体を構成している断熱材が吸音材として有効に機能し、コンデンシングユニットで発生した騒音が前記の導風ダクト内を伝播する過程で断熱材に吸音され、その結果、外方に漏出する騒音が減衰する。しかも、この導風ダクトは断熱筐体自身の内部に形成することで、資材追加を要せずにコスト増加が防げる。
【００１７】
(6) キャビネットの背面に熱交換器として機能する放熱用導風ダクトを敷設した上で、該放熱用導風ダクトの入口，出口をそれぞれ機械室の後面に開口した冷却空気の排気口，取入口に接続し、該放熱用導風ダクトを経由して機械室内に画成した導風路との間に閉ループの循環通風路を形成しする（請求項７）。
この構成によれば、コンデンシングユニットを通過した冷却空気の排気熱は放熱用導風ダクトを通流する過程でダクト壁を通じて大気側に放熱され、低温状態で機械室に還流してコンデンシングユニットを冷却する。しかも、冷却空気の導風路は外方に開放してないので、コンデンシングユニットで発生した騒音の外方への漏洩を最小限に抑えることができるほか、冷却空気の導風路を閉ループとしたことで塵埃の多い周囲環境でもコンデンシングユニットの凝縮器（フィン・チューブ形）が塵埃で目詰まりすることがないように保護できる。
【００１８】
(7) さらに、商品収納庫の前面に配備した断熱内扉を、機械室の前面まで下方に延在させて機械室の前面を閉塞するようにした構成がある（請求項８）。
すなわち、断熱内扉はその断熱材に発泡樹脂を用いていることから遮音壁としても有効であり、この断熱内扉で機械室の前面を閉塞することにより高い遮音効果が得られる。これにより、断熱内扉と別に機械室の前面を覆う遮音壁が省略できるほか、自動販売機のメンテナンス時に断熱内扉を開放することで、直ちに機械室内にアクセスしてコンデンシングユニットの凝縮器前面に付設した除塵フィルタを清掃できる。
【００１９】
【発明の実施の形態】
以下、本発明の実施の形態を図示の実施例に基づいて説明する。なお、各実施例の図中で図７，図８に対応する部材には同じ符号を付してその詳細な説明は省略する。
〔実施例１〕
図１(a),(b) は本発明の請求項１，５に対応する実施例を示すものである。この実施例においては、機械室１ｂに冷凍機のコンデンシングユニット７を包囲して、内風胴９，および該風胴９の左右，前方域を取り囲む外風胴１０からなる風胴を備えている。ここで、内風胴９，外風胴１０はその後端を開放して機械室１ｂの背面にコンデンシングユニット７の後部に通じる冷却空気の排気口１１、および排気口１１を挟んでその左右両側に振り分けた空気取入口１２Ｌ，１２Ｒを開口しており、風胴９と１０との間には空気取入口１２Ｌ，１２Ｒからコンデンシングユニット７の前部に配した凝縮器７ｂの前面へ通じるＵ字状の吸込導風路１３を画成している。また、前記の導風経路に沿って風胴９，１０の内壁面には吸音材１４が貼着されている。
【００２０】
かかる構成において、冷凍機の運転時には図示矢印のようにキャビネット１の背面側から左右の空気取入口１２Ｌ，１２Ｒを通じて取り込んだ冷却空気がコンデンシングユニット７の側方を迂回して流れ、導風路１３の前端で合流，Ｕターンした上で前方から内風胴９に流入し、コンデンシングユニット７を冷却，通風した後、背面の排気口１１から外方に排出される。
【００２１】
前記の導風経路から判るように、コンデンシングユニット７を収設した機械室１ｂの前面は外風胴１０の前面壁で閉塞されており、この前面壁が遮音壁の役目を果してコンデンシングユニット７で発生した騒音が機械室１ｂから前方に伝播するのを防止する。一方、空気取入口１２Ｌ，１２Ｒは左右二箇所に分けて開口しており、左右の空気取入口１２Ｌ，１２Ｒより取り込んだ冷却空気は、吸込側導風路１３の前端で左右方向から合流した上で、前方から内風胴９の胴内に吸い込まれてコンデンシングユニット７の凝縮器７ｂ，ファン７ｃ，圧縮機７ａを通流する。したがって、送風ファン７ｃの回転面に対する空気流の偏流がなく、これによりファンの風切り音も低くなって発生騒音のレベルが低減する。また、図示例のように導風路に沿って風胴９，１０の内壁面に断熱材１４を貼着することにより、外部に漏洩する騒音レベルをより一層低減できる。
【００２２】
〔実施例２〕
図２(a),(b) は本発明の請求項２に対応する実施例を示すものである。この実施例においては、図１の構成に加えてキャビネット１の背面には、機械室１ｂの背後に開口した排気口１１に連通して上方に延在する導風ダクト１５が敷設されている。この導風ダクト１５は冷却空気の排気ダクトであり、その上端がキャビネット１の上方に向けて大気中に開口している。
【００２３】
かかる構成により、コンデンシングユニット７に対する冷却空気は、図１と同様に機械室１ｂの背面に開口している空気取入口１２Ｌ，１２Ｒから吸い込まれてコンデンシングユニット７を通風した後に、排気口１１より導風ダクト１５を経由してキャビネット１の上方に排出される。
これから判るように、空気取入口１２Ｌ，１２Ｒと導風ダクト１５の上端に開口している排気吐出口との間の距離が十分に離れているので、導風ダクト１５の上端から上方に向けて排出した高温の排気が再び空気取入口１２Ｌ，１２Ｒに吸い込まれることがなく、これによりコンデンシングユニットを風冷する冷却性能の低下が防げる。
【００２４】
また、導風ダクト１５を設けたことで、騒音発生源となるコンデンシングユニット７から導風ダクト１５の開口端までの騒音伝播経路が長くなり、その距離の増加に伴って騒音の減衰効果も高まる。
〔実施例３〕
図３(a),(b) は本発明の請求項３に対応した前記実施例２の応用実施例を示すものである。この実施例においては、前記の実施例２で述べた導風ダクト１５を排気口１２と接続する代わりに、導風ダクト１５を左右に分割して機械室１ｂ背面に開口している空気取入口１２Ｌ，１２Ｒとそれぞれ連通接続するようにしている。
【００２５】
この実施例においても、実施例２と同様な原理で排気口１１と導風ダクト１５の上端に開口している外気取り込み口との間の距離が十分に離れているので、機械室１ｂの背面に開口している排気口１１から排出した高温の排気が再び空気取入口１２Ｌ，１２Ｒに吸い込まれことがなく、これにより冷却性能の低下が防げる。
【００２６】
〔実施例４〕
図４(a),(b) は先記の実施例２をさらに改良した本発明の請求項４に対応する実施例を示すものである。この実施例においては、キャビネット１の背面に敷設した導風ダクト１５について、ダクト内部に波形の導風ガイド１５ａを敷設して導風路を蛇行させ、自動車のマフラーと同様な原理で消音機能を持たせるようにする。
【００２７】
これにより、導風ダクト１５を通じて外方に漏出するコンデンシングユニットに発生した騒音をさらに低減できる。なお、図示例は機械室１ｂの排気口１１に連通する排気用の導風ダクトを示したが、図３の実施例に示した吸気用の導風ダクトについても同様に実施適用することができる。
〔実施例５〕
図５(a),(b) は本発明の請求項６に対応した先記実施例２の変形実施例を示すものである。この実施例においては、キャビネット１の背面に別部品の導風ダクト（図２参照）を設ける代わりに、商品収納庫１ａの断熱筐体を利用して前記導風ダクトと同等な機能を持たせるようにしている。
【００２８】
すなわち、キャビネット１の商品収納庫１ａを構成する断熱筐体は、良く知られているように薄鋼板製の内箱，外箱と、内箱と外箱の間にプラスチックフォームなどの断熱材を挟んだサンドイッチ構造になる。ここで、(a) 図におけるＰ部の拡大断面図として表した(b) 図で示すように、内箱１ａ-1，断熱材１ａ-2，外箱１ａ-3からなる断熱筐体の背面側において、断熱材１ａ-2と外箱１ａ-3の背板との間の隙間を広げてここに空気通路１ｄを形成した上で、(a) 図のように前記空気通路１ｄの上端をキャビネット１の天井側に開口し、下端側では外箱の背板を下方に延ばして機械室１ｂの背面に開口している排気口１１に連通接続させている。
【００２９】
この構成によれば、先記実施例２と同様にコンデンシングユニット７を通風して排気口１１より流出する冷却空気の高温排気を、前記の空気通路１ｄを通じてキャビネット１の上方に大気側に排出させることができるとともに、この空気通路１ｄの片側に露呈しているプラスチックフォームの断熱材１ａ-2が吸音材として機能し、空気通路１ｄの中を伝播するコンデンシングユニット７の発生騒音を減衰させて外方へに漏出する騒音レベルを低減させる。
【００３０】
しかも、商品収納庫１ａの断熱筐体を利用して導風ダクトとなる空気通路１ｄを形成したことにより、図２の実施例のような導風ダクト１５を別に設ける必要がない。
〔実施例６〕
図６(a),(b) は本発明の請求項７に対応する実施例を示すものである。この実施例においては、キャビネット１の背面に熱交換器として機能する放熱用導風ダクト１６を設けるとともに、該放熱用導風ダクト１６の入口，出口をそれぞれ機械室１ｂの後面に開口した排気口１１，左右の空気取入口１２Ｌ，１２Ｒに接続し、該放熱用導風ダクト１６を経由して機械室１ｂ内に画成したコンデンシングユニット７の導風路との間に閉ループの循環通風路を形成している。
【００３１】
ここで、放熱用導風ダクト１６は、その上端を閉塞した上でダクト内の左右に上下方向に延在する導風ガイド１６ａを設けて左右に分岐した逆Ｕ字状の通風路を形成し、前記の導風ガイド１６ａを仕切りとして導風ガイド１６の下端部が機械室１ｂの背面に開口している冷却空気の排気口１１，およびその左右に並ぶ取入口１２Ｌ，１２Ｒに連通させている。
【００３２】
上記の構成により、冷凍機の運転時には図示矢印で示すように、冷却空気が機械室内に画成した導風路と放熱用導風ダクト１６との間でコンデンシングユニット７を経由して閉ループ状に循環通風する。これにより、コンデンシングユニット７を通過して高温になった排気は放熱用導風ダクト１６を通流する過程でその壁面を通じて周囲の大気側に放熱し、低温になって再び機械室１ｂの導風路に還流する。したがって、先記の各実施例，あるいは従来構成のように空気取入口，排気口に周囲環境から塵埃が侵入するを防ぐために防塵フィルタを設置するなどの防塵対策，およびその清掃のメンテナンスが必要ない。
【００３３】
また、閉ループの循環通風路は外部に開放してないので、コンデンシングユニット７から外部に漏洩する騒音を最小限に低めることができ、特に静粛性が求められる場所に設置する自動販売機の騒音低減策として有効である。
〔実施例７〕
図７(a),(b) および図８は本発明の請求項８に対応する実施例を示すものである。この実施例においては、商品収納庫１ａの前面に配備した断熱内扉３を下方に延長し、その扉面で機械室１ｂの前面を閉塞するようにしている。
【００３４】
また、この実施例では、コンデンシングユニット７を包囲して冷却空気の導風路を画成する風胴についても、図８で示すように内風胴９と外風胴１０，および外風胴１０の上面に被せた蓋１０ｂとで後面を開放した箱形の風胴を構成し、この風胴内にコンデンシングユニット７を組み込んだ上で、キャビネット１の機械室１ｂへ引出し可能に収設するようにしている。そして、機械室１ｂ内で仕切壁１ｃにより仕切られた左側の小室１ｅを吸込導風路として利用するように、小室１ｅの後端面を開放して外気を取り入れるようにし、かつ前面を蓋１ｆで閉塞した上で、仕切壁１ｃの前部には右側の室に連通する通風口１ｃ-1を開口している。一方、コンデンシングユニット７を包囲した風胴には、前記した仕切壁１ｃの通風口１ｃ-1に位置を合わせて、外風胴１０の左側側壁に通風口１０ｂが開口している。そして、コンデンシングユニット７を風胴とともに機械室１ｂに収容した状態で、外風胴１０の通風口１０ｂと仕切壁１ｃの通風口１ｃ-1とが重なるようにしている。
【００３５】
かかる構成により、コンデンシングユニット７の運転時には、内風胴９と外風胴１０との間の吸込導風路および前記した機械室内の小室１ｅを通じてキャビネットの後面側から吸い込んだ冷却空気が前部で左右方向から合流した後、先記した各実施例と同様に前方から内風胴９に流入してコンデンシングユニット７を通風した後、排気口１１を通じて排気される。
【００３６】
ところで、この実施例では、先記のように断熱内扉３が機械室１ｂの前面を閉塞している。しかも、断熱内扉３はその内層の断熱材に発泡樹脂など用いていので遮音壁としての役目も果たす。これにより、コンデンシングユニット７で発生した騒音が自動販売機の前方に伝播するのを断熱内扉３で遮音し、その騒音レベルを低減させることができる。
【００３７】
したがって、機械室１ｂの前面を断熱内扉３で閉塞することにより、図８に示した外風胴１０は、その前面壁（遮音壁）を省略して風胴の前面を開放させておくことも可能である。しかも、外風胴１０の前面壁を削除して風胴の前面を開放しておけば、自動販売機のメンテナンス時に断熱内扉３を開放するだけで、直ちにコンデンシングユニット７にアクセスして、その凝縮器７ｂの前面（冷却空気の吸込側）に付設した除塵フィルタを清掃することができる。
【００３８】
【発明の効果】
以上述べたように、本発明の構成によれば、次記の効果を奏する。
(1) 冷凍機のコンデンシングユニットを収設したキャビネットの機械室の前面を閉塞したことにより、キャビネットの前方に漏出するコンデンシングユニットの騒音を低減できるとともに、空気取入口を機械室の背面側で左右二箇所に分けて開口し、該取入口を通じて吸い込んだ冷却空気をコンデンシングユニットの左右側方を迂回した後に室内の前部で合流してコンデンシングユニットに導風するようにした請求項１の構成によれば、送風ファンの回転面に対する左右領域の圧力差，および送風の偏流も発生しなくなり、これにより冷却性能の低下を抑えるとともに、ファンの風切り音も低めて騒音レベルをより一層効果的に低減でき、特に静粛性が求められる場所に設置する場合に有利な低騒音の自動販売機を提供することができる。
【００３９】
(2) また、前記請求項１の構成を基本として、キャビネットの背面側に導風ダクトを追加装備した請求項２〜４の構成によれば、コンデンシングユニットを通風した高温の排気が再び空気取入口より吸い込まれことがなくて冷却性能の低下が防げるとともに、導風ダクトを伝播して外方に漏出する騒音を低減できる。
(3) また、冷却空気の導風路に吸音材を敷設した請求項５の構成により、騒音低減の効果がより一層高めることができ、さらにキャビネットの断熱筐体自身に導風ダクトを形成した請求項６の構成によれば、コストの増加を抑えつつ、断熱筐体の断熱材を吸音材として有効に生かして騒音を低減できる。
【００４０】
(4) また、キャビネットの背面に放熱用の導風ダクトを設けてコンデンシングユニットを収設した機械室との間に閉ループ状の冷却空気導風路を形成した請求項７の構成によれば、コンデンシングユニットに対してメンテナンスフリーの高い防塵性を確保しつつ、外部への騒音漏洩を最小に抑えることができる。
(5) さらに、商品収納庫の前面に配備した断熱内扉３を下方に延長し、その扉面で機械室の前面を閉塞するようにした請求項８の構成を採用することにより、断熱内扉が機械室の遮音壁としての役目を果たし、前方への騒音漏洩を効果的に低減できるほか、自動販売機のメンテナンス時にも、断熱内扉を開放することで直ちにコンデンシングユニットにアクセスして凝縮器に付設した除塵用フィルタを清掃できるなどの利点が得られる。
【図面の簡単な説明】
【図１】本発明の実施例１に対応する自動販売機の構成図であり、(a) は側視断面図、(b) は(a) 図における機械室の横断平面図
【図２】本発明の実施例２に対応する自動販売機の構成図であり、(a) は側視断面図、(b) は(a) 図における機械室の横断平面図
【図３】本発明の実施例３に対応する自動販売機の構成図であり、(a) は側視断面図、(b) は(a) 図における機械室の横断平面図
【図４】本発明の実施例４に対応する自動販売機の構成図であり、(a) は側視断面図、(b) は(a) 図の背面図
【図５】本発明の実施例５に対応する自動販売機の構成図であり、(a) は側視断面図、(b) は(a) 図におけるＰ部分の拡大図
【図６】本発明の実施例６に対応する自動販売機の構成図であり、(a) は側視断面図、(b) は(a) 図の背面図
【図７】本発明の実施例７に対応する自動販売機の構成図であり、(a) は側視断面図、(b) は(a) 図の背面図
【図８】図７における要部構造の分解斜視図
【図９】従来における自動販売機の全体構成を示す扉開放状態の外観図
【図１０】図７の内部構造を表す縦断側面図
【符号の説明】
１    キャビネット
１ａ  商品収納庫（断熱筐体）
１ａ-2  断熱材
１ａ-3  外箱
１ｂ  機械室
１ｃ  仕切壁
１ｄ  空気通路
２    前面外扉
３    断熱内扉
４    商品収納ラック
７    冷凍機のコンデンシングユニット
７ａ  圧縮機
７ｂ  凝縮器
７ｃ  送風ファン
８    商品
９，１０  風胴
１１    排気口
１２Ｌ，１２Ｒ  空気取入口
１３    吸込導風路
１４    吸音材
１５    導風ダクト
１６    放熱用導風ダクト
【図１】
0004186411.tif 000002
【図２】
0004186411.tif 000003
【図３】
0004186411.tif 000004
【図４】
0004186411.tif 000005
【図５】
0004186411.tif 000006
【図６】
0004186411.tif 000007
【図７】
0004186411.tif 000008
【図８】
0004186411.tif 000009
【図９】
0004186411.tif 000010
【図１０】
0004186411.tif 000011